(57)【要約】      （修正有）【課題】よりガタツキが少なく、信頼性の高い組立家具を提供する。【解決手段】側面及び一方の平面に貫通した孔が形成されてなる複数の接続パネルと、周方向に複数のネジ孔が形成された複数の接続ユニットと、頭部、軸部及びネジ溝部を有する複数の接続ネジと、を有する。接続ユニットのネジ孔に接続ネジを回し入れ、接続ネジの軸部及び頭部を接続パネルの孔に側面から挿入し、接続パネルの一方の平面に形成されてなる孔から固定ネジを挿入して接続ネジにおける頭部とかみ合わせて、組み立てられる。接続ネジには、軸部の一部を覆うポリマー部材が配置される。【選択図】図１
0003153772.tif 000002
【実用新案登録請求の範囲】
【請求項１】
側面及び一方の平面に貫通した孔が形成されてなる複数の接続パネルと、
周方向に複数のネジ孔が形成された複数の接続ユニットと、
頭部、軸部及びネジ溝部を有する複数の接続ネジと、を有し、
前記接続ユニットのネジ孔に接続ネジを回し入れ、
前記接続ネジの軸部及び頭部を前記接続パネルの前記孔に側面から挿入し、
前記接続パネルの一方の平面に形成されてなる前記孔から固定ネジを用いて前記接続ネジにおける頭部とかみ合わせて、組み立てられてなる組立家具であって、
前記接続ネジには、前記軸部の一部を覆うポリマー部材が配置されてなる組立家具。
【請求項２】
前記接続ネジの前記ポリマー部材の厚みは、前記ネジ溝部側から前記頭部側にかけて薄くなっている請求項１記載の組立家具。
【考案の詳細な説明】
【技術分野】
【０００１】
本考案は、組立家具に関する。
【背景技術】
【０００２】
組立てに必要な部材が全て含まれており、購入した後自分で組立てを行う組立家具は、組み立てるための人件費が不要となるため低価格なものが多く、近年その人気は極めて高くなっている。特に、組立家具の中には、購入するパーツの数、大きさに応じて家具の寸法、形状などを自由に設計することができるものも存在し、その需要はますます増える傾向にある。
【０００３】
組立家具に関する公知の技術の一例として、例えば下記特許文献１に、複数のパネルをねじなどで組み合わせる組立家具が開示されている。
【０００４】
【特許文献１】特開２００３−３６１号公報
【考案の概要】
【考案が解決しようとする課題】
【０００５】
しかしながら、上記技術で示される技術においては、複数のパネルには木材を用いる一方で、ねじには金属を用いるものが殆どであり、木材と金属との組み合わせにおいては、組み立てた際にガタツキが生じてしまう等の課題が残ってしまう。
【０００６】
そこで、本考案は、よりガタツキが少なく、信頼性の高い組立家具を提供することを目的とする。
【課題を解決するための手段】
【０００７】
本考案者は、組立家具の作製において、主成分が木材からなるパネルと、金属からなるネジとを組み合わせた場合、材質が異なるなること特に金属表面の平滑性により、組み立てた家具に外圧が加わった場合、ガタツキが生じてしまうことを発見した。このガタツキは組立家具の信頼性を低くしてしまう虞があり、ひどい場合には不良品となり、結果として歩留まりが低くなってしまう場合があった。
【０００８】
本考案者は、この課題について鋭意検討を行なったところ、複数の接続パネルと、複数の接続ユニットと、複数の接続ネジと、を組み合わせて構成する組立家具において、接続ネジの軸部の周囲に、この一部を覆うポリマー部材を配置することで、ガタツキを押さえることができる点を発見し、本考案を完成させるに至った。
【０００９】
すなわち、本考案の一観点に係る組立家具は、側面及び一方の平面に貫通した孔が形成されてなる複数の接続パネルと、周方向に複数のネジ孔が形成された複数の接続ユニットと、頭部、軸部及びネジ溝部を有する複数の接続ネジと、を有し、接続ユニットのネジ孔に接続ネジを回し入れ、接続ネジの軸部及び頭部を接続パネルの前記孔に側面から挿入し、接続パネルの一方の平面に形成されてなる孔から固定ネジを用いて接続ネジにおける頭部とかみ合わせて、組み立てられ、かつ、接続ネジには、前記軸部の一部を覆うポリマー部材が配置されてなる。
【００１０】
なお、この観点において、限定されるわけではないが、接続ネジの前記ポリマー部材の厚みは、ネジ溝部側から頭部側にかけて薄くなっていることが好ましい。
【考案の効果】
【００１１】
以上、本考案により、よりガタツキが少なく、信頼性の高い組立家具を提供することができる。
【図面の簡単な説明】
【００１２】
【図１】実施形態に係る組立家具の概略斜視図である。
【図２】実施形態に係る組立家具の組立について説明するための分解図である。
【図３】実施形態に係る組立家具の他の例の組立について説明するための分解図である。
【図４】背面板を用いる場合の組立家具の他の一例を示す概略斜視図である。
【図５】実施形態に係る接続ユニットの概略斜視図である。
【図６】実施形態に係る接続ユニットの概略断面図である。
【図７】実施形態に係る接続ネジの概略斜視図である。
【図８】実施形態に係る固定ネジの概略図である。
【考案を実施するための最良の形態】
【００１３】
以下、本考案の実施形態について図面を参照しつつ説明する。ただし、本考案は多くの異なる態様で実施することが可能であり、下記に示す具体例にのみ限定されるものではない。
【００１４】
図１は、実施形態に係る組立家具（以下「本組立家具」という。）１の概略斜視図であり、図２は、本組立家具の組立について説明するための分解図である。本図で示されるように、本組立家具は、側面２１及び一方の平面２２に貫通した孔２１１が形成されてなる複数の接続パネル２と、周方向に複数のネジ孔３１が形成された複数の接続ユニット３と、頭部４１、軸部４２及びネジ溝部４３を有する複数の接続ネジ４と、を有し、接続ユニット３のネジ孔３１に接続ネジ４の溝部４３を回し入れ、接続ネジ４の軸部４２及び頭部４１を接続パネル２の孔２１１に側面２１側から挿入し、平面２２側から予め内蔵されている固定ネジ５を回して接続ネジ４における頭部４１とかみ合わせて、組み立てられてなる組立家具である。なお、図１、２の例では、４枚の接続パネル２で一つの収納スペースを形成したものとなっているが、構成は限定されず、例えば図３で示すように、多数の接続ユニット３と多数の接続パネル２を用いて複数の収納スペースを形成するよう多数組み合わせることも可能である。
【００１５】
本組立家具において、接続パネル２は、家具の壁部を構成する板状の部材であって、組立家具の主要な構成要素の一つである。接続パネル２の形状は特に限定されるわけではないが、複数の接続パネルを組み合わせ易くなるよう、直線により形成される多角形状であることが好ましく、長方形、正方形といった四角形であることはより好ましい一例である。
【００１６】
また接続パネル２のそれぞれは、その側面２１において孔２１１が、平面２２においても孔２１１が形成されており、更に、これら孔は接続パネル内部で結合しており、側面２１及び一方の平面２２に貫通した孔となっている。これは、側面２１側から接続ネジ４を挿入する一方、平面２２の孔２１１に予め内蔵されている固定ネジ５を用いて接続ネジ４の頭部４１を絞めることで接続パネルと接続ネジ（更には接続ネジに固定された接続ユニット）を固定することを目的として形成されている。この孔は、本組立家具を組み立てることができる限りにおいて限定されるわけではないが、接続パネルの１つの辺の側面各々において両端近傍に１つずつ（１辺あたり２つ）形成されていることが好ましい。
【００１７】
なお、接続パネルは壁部をなすものであるが、例えば、図４で示すように、背面板を有する組立家具とするため、接続パネルの面を対向して配置させた場合に背面板６を挿入することのできるような背面板用の溝２３を平面２２に形成しておくことは好ましい一形態である。即ち、平面に背面板用の溝が形成された接続パネルを、これら溝が対向するよう組み合わせ、この溝に背面板を配置した組立家具とすることができる。なお、この場合において、背面板６は、表と裏の面において色等を異ならせ、好みに合わせて表と裏の面いずれかを選択させるようにしておくことは好ましい一例である。
【００１８】
本組立家具において、接続ユニット３は、接続パネル２を組み合わせる基軸となるものであって、周方向に複数のネジ孔３１が形成されている。図５に、本実施形態に係る接続ユニット３の概略斜視図を示す。
【００１９】
本実施形態において、接続ユニット３は、限定されるわけではないが、接続パネル２の一辺と略同じ長さを有する棒状部材であることは好ましい一形態である。本接続ユニット３の断面形状としては多角形状であることが好ましく、四角形であることがより好ましい。なお本接続ユニット３における「周方向」とは、接続ユニットが延びる方向（例えば棒状であれば、棒の遠心軸方向）を中心とする回転方向をいう。なお、ねじ孔３１は、周方向同一平面上にある必要は必ずしも無いが、同一の構成からなる複数の接続パネル２を組み合わせる観点からは周方向同一平面上に形成されていることが好ましい。接続ユニットが四角の断面形状を有する棒状部材である場合、各面の両端近傍にそれぞれネジ孔３１が形成されていることは好ましい一例である。なお、この場合における接続ユニット３のねじ孔を含む面（軸方向に垂直な面）における断面図を図６に示しておく。
【００２０】
本組立家具において、接続ネジ４は、上記接続パネル２と接続ユニット３を固定するために用いられる部材であり、頭部４１、軸部４２及びネジ溝部４３を有し、更に、軸部の一部がポリマー部材４４により覆われている。図７に、接続ネジの六面図を示しておく。
【００２１】
接続ネジ４の頭部４１は、固定ネジ５と組み合わされる部分であって、更に、接続ネジ４の溝部４３を接続ユニット３のネジ孔３１に回しいれる際、ドライバーの先端を引っ掛けるために有用な部である。例えばいわゆるプラスドライバーの先端と組み合わされるため、ネジの頭部４１にプラスの溝が形成されていることは好ましい一例である。なお接続ネジの頭部４１、軸部４２、溝ネジ部４３の材質は、特に限定されるわけではないが、硬度の関係から、金属であることが好ましい。
【００２２】
接続ネジ４のネジ溝部４３は、接続ユニット３のネジ孔３１に回しいれることができるよう彫られた溝である。接続ネジ４のネジ溝部４３の長さは、接続ユニット３のネジ孔３１にあわせてあれば特に限定はされないが、３ｍｍ以上８ｍｍ以下であることが好ましく、より好ましくは３ｍｍ以上５ｍｍ以下である。この範囲とすることで、接続ユニットと接続ネジとの結合強度を維持することができるとともに接続ユニットを必要以上に太くする必要がなくなるといった効果がある。
【００２３】
接続ネジ４の軸部４２は、ネジ溝部４３と頭部４１を接続する部分であって、この周囲の少なくとも一部には、ポリマー部材４４が配置されている。ポリマー部材は高分子であって、一般にはある程度の表面粗さ（摩擦）と弾性を示す部材であり、接続パネル２の孔２１１に接続ネジを挿入した場合、孔２１１内部の表面と高い摩擦力をもって接触すること、更に、外力が加わった場合の外力を吸収することができるようになり、いわゆるガタツキやすべりを抑えることができるようになる。ところで、本実施形態に係る組立家具において接続ユニットの周方向には複数のネジ溝が形成されることとなるため、ネジ孔を浅く形成する即ちネジ溝部を短く形成しなければならないが、このことは接続ネジの作製精度を高くしなければならないといった課題を生ずる虞がある。しかしながら、本実施形態のように、ポリマー部材を周囲に配置させる構造とすることで、接続ネジのネジ溝を多少長く設計しても、また誤差が生じたとしても、所望のネジ溝の長さが残るようポリマーを形成することで、ネジ溝近傍における製造誤差等を吸収させることができ、歩留まりを向上させることができるといった優れた利点を有する。またこの場合、軸部近傍のネジ溝部４３の周囲にもポリマー部材を配置しておくこととなり、ポリマー部材の一部がネジ溝周辺に配置されることとなるため、ポリマー部材とネジの軸部とを強固に固定することができるといった利点がある。なお、ポリマー部材は、ポリマーである限りにおいて限定されないが、例えばポリプロピレン、ポリエチレン、ポリビニルクロライド、ポリカーボネート等を好ましく用いることができる。  また、接続ネジのポリマー部材４４の厚みは、限定されるわけではないが、ネジ溝部４３側から頭部４１側にかけて薄くなっていることが好ましい。このようにすることで、接続パネルの孔に入れる際は入れやすく、入れた後は十分な径を確保し、孔とネジとを密着させることが可能となり、いわゆるガタツキを抑えることができる。
【００２４】
そして、本組立家具は、接続ユニット３のネジ孔３１に接続ネジ４の頭部４１を回し入れ、接続ネジ４の軸部４２及び頭部４１を接続パネル２の孔２１１に側面２１側から挿入し、平面２２側から固定ネジ５を用いて接続ネジ４における頭部４１とかみ合わせて、組み立てることができる。
【００２５】
なお、本実施形態に係る固定ネジ５は、上記の通り接続パネルの平面に形成された孔２１１において、接続ネジ４の頭部４１を固定するために内蔵されているネジであって、頭部５１と、この頭部５１に接続され溝５２１が形成される軸部５２とを有して構成されている。この概略を図８に示しておく。この軸部５２の溝５２１には接続ネジ４の頭部４１及び軸部４２が嵌めあわされ、頭部５１に彫られた溝にドライバーを引っ掛け、回すことで、接続パネル２と接続ネジ（更に接続ネジが固定された接続ユニット）を固定することができる。なお、本実施形態では孔２１１に予め内蔵されていることとしているが、別々に用意し、接続ネジと接続パネルを固定しようとする際、改めて孔２１１に挿入するようにしてもよい。
【００２６】
以上、本考案により、よりガタツキが少なく、信頼性の高い組立家具を提供することができる。
【産業上の利用可能性】
【００２７】
本考案は、組立て家具として量産が可能であり、産業上の利用可能性がある。
【符号の説明】
【００２８】
１…組立家具、２…接続パネル、３…接続ユニット、４…接続ネジ、５…固定ネジ
【図１】
0003153772.tif 000003
【図２】
0003153772.tif 000004
【図３】
0003153772.tif 000005
【図４】
0003153772.tif 000006
【図５】
0003153772.tif 000007
【図６】
0003153772.tif 000008
【図７】
0003153772.tif 000009
【図８】
0003153772.tif 000010